(57)【要約】【課題】出力を確保しつつも、セグメント導体を用いたステータの軸方向への大型化を抑えることができるモータを提供する。【解決手段】メインコア部３１の軸方向両端部にそれぞれ設けられた磁性板４０は、メインコア部３１の径方向内側端部（ロータ１４側端部）から軸方向外側に延出されてロータ１４と径方向に対向するロータ対向部４４を有する。そして、セグメント導体２５の第１及び第２突出部５２，５３は、ロータ対向部４４と径方向に間隙を介して対向する。【選択図】図８
2014147174.tif 000002
【特許請求の範囲】
【請求項１】
ステータコアに電機子巻線が設けられてなるステータと、前記ステータコアと径方向に対向するロータとを備え、
前記電機子巻線は、前記ステータコアに軸方向に沿って形成された複数のスロットに挿入されるとともに該スロットから軸方向に突出する突出部が互いに電気的に接続された複数のセグメント導体よりなるモータであって、
前記ステータコアは、メインコア部と、該メインコア部の軸方向端部に設けられた磁性板とを備え、
前記磁性板は、前記メインコア部の前記ロータ側の端部から軸方向外側に延出されて前記ロータと径方向に対向するロータ対向部を有し、
前記セグメント導体の前記突出部は、前記ロータ対向部と径方向に間隙を介して対向することを特徴とするモータ。
【請求項２】
請求項１に記載のモータにおいて、
前記セグメント導体の前記突出部は、前記スロットの前記ロータ対向部側の端部よりも反ロータ対向部側に位置するように構成されたことを特徴とするモータ。
【請求項３】
請求項２に記載のモータにおいて、
前記セグメント導体は、周方向位置の異なる前記スロットにそれぞれ挿入される一対の直線部と、軸方向一端側の前記突出部において前記一対の直線部同士を繋ぐ折り返し部とが一体に形成された線材よりなり、
前記折り返し部は、前記スロットの径方向中心に対して反ロータ対向部側に偏倚するように形成されていることを特徴とするモータ。
【請求項４】
請求項２に記載のモータにおいて、
前記電機子巻線は、前記各セグメント導体が軸方向両側の前記突出部でそれぞれ溶接接合されてなることを特徴とするモータ。
【請求項５】
請求項１〜４のいずれか１項に記載のモータにおいて、
前記電機子巻線は、前記各セグメント導体が少なくとも軸方向一方側の前記突出部で溶接接合されてなり、その突出部の溶接接合部は、前記ロータ対向部の軸方向先端よりも軸方向外側に形成されていることを特徴とするモータ。
【請求項６】
請求項１〜５のいずれか１項に記載のモータにおいて、
前記磁性板は、前記メインコア部の軸方向端部に積層された積層部を備えることを特徴とするモータ。
【請求項７】
請求項６に記載のモータにおいて、
前記スロットの軸方向端を構成する前記積層部の角部には、面取り部が形成されていることを特徴とするモータ。
【請求項８】
請求項１〜７のいずれか１項に記載のモータにおいて、
前記メインコア部は、軸方向に積層された複数のコアシートよりなり、
前記磁性板の板厚は、前記コアシートの板厚よりも厚く設定されていることを特徴とするモータ。
【請求項９】
請求項１〜７のいずれか１項に記載のモータにおいて、
前記ロータの界磁磁石は、フェライト磁石よりなることを特徴とするモータ。
【発明の詳細な説明】
【技術分野】
【０００１】
本発明は、モータに関するものである。
【背景技術】
【０００２】
従来、モータのステータには、例えば特許文献１に示すように、複数のセグメント導体（セグメントコンダクタ）をステータコアのスロットに挿入し、所定のセグメント導体同士を接続することで電機子巻線（セグメント巻線）を構成したものがある。このようなステータは、巻線の占積率を高く構成できるため、径方向に小型化するのに有利な構成といえる。
【先行技術文献】
【特許文献】
【０００３】
【特許文献１】特開２０１１−２３９５３３号公報
【発明の概要】
【発明が解決しようとする課題】
【０００４】
上記のような電機子巻線を用いたステータでは、セグメント巻線におけるスロットから軸方向に突出する突出部が周方向に屈曲されて互いに繋がっているが、セグメント導体の突出部をステータの軸方向端面に沿って略直角に屈曲することは難しいため、セグメント導体の突出部の軸方向への突出量が大きくなってしまい、その結果、ステータが軸方向に大型化してしまう。
【０００５】
本発明は、上記課題を解決するためになされたものであって、その目的は、出力を確保しつつも、セグメント導体を用いたステータの軸方向への大型化を抑えることができるモータを提供することにある。
【課題を解決するための手段】
【０００６】
上記課題を解決するモータは、ステータコアに電機子巻線が設けられてなるステータと、前記ステータコアと径方向に対向するロータとを備え、前記電機子巻線は、前記ステータコアに軸方向に沿って形成された複数のスロットに挿入されるとともに該スロットから軸方向に突出する突出部が互いに電気的に接続された複数のセグメント導体よりなるモータであって、前記ステータコアは、メインコア部と、該メインコア部の軸方向端部に設けられた磁性板とを備え、前記磁性板は、前記メインコア部の前記ロータ側の端部から軸方向外側に延出されて前記ロータと径方向に対向するロータ対向部を有し、前記セグメント導体の前記突出部は、前記ロータ対向部と径方向に間隙を介して対向する。
【０００７】
この構成によれば、ステータコアは、メインコア部から軸方向外側（反メインコア側）に延びるロータ対向部を有する磁性板を有し、そのロータ対向部は、スロットから突出するセグメント導体の突出部と径方向に対向するように構成される。このため、ステータコアのメインコア部の軸方向長さを小さく抑えることで、ステータの軸方向への大型化を抑えつつも、磁性板のロータ対向部によってステータコアのロータとの対向面を確保、つまり出力を確保することができる。また、セグメント導体の突出部とロータ対向部との間には径方向の間隙が形成されるため、セグメント導体の突出部とロータ対向部との干渉が抑制され、その結果、ロータ対向部とセグメント導体との絶縁性を好適に確保することができる。また、例えば、セグメント導体の突出部との干渉によってロータ対向部が変形することによるコギングトルクの増大や出力の低下が抑制される。
【０００８】
上記モータにおいて、前記セグメント導体の前記突出部は、前記スロットの前記ロータ対向部側の端部よりも反ロータ対向部側に位置するように構成されていることが好ましい。
【０００９】
この構成によれば、スロットをロータ対向部から径方向に離した構成としなくても、セグメント導体の突出部とロータ対向部との間隙を確保することができる。このため、ステータコアの径方向への大型化を抑えつつも、セグメント導体の突出部とロータ対向部との干渉を抑えることができる。
【００１０】
上記モータにおいて、前記セグメント導体は、周方向位置の異なる前記スロットにそれぞれ挿入される一対の直線部と、軸方向一端側の前記突出部において前記一対の直線部同士を繋ぐ折り返し部とが一体に形成された線材よりなり、前記折り返し部は、前記スロットの径方向中心に対して反ロータ対向部側に偏倚するように形成されていることが好ましい。
【００１１】
この構成によれば、軸方向一端側の突出部で折り返した形状のセグメント導体において、セグメント導体の突出部とロータ対向部との間隙を好適に確保することができる。
上記モータにおいて、前記電機子巻線は、前記各セグメント導体が軸方向両側の前記突出部でそれぞれ溶接接合されてなることが好ましい。
【００１２】
この構成によれば、セグメント導体を軸方向一端側の突出部で折り返した形状とする場合に、その折り返し部に生じうる径方向の膨らみが生じないため、セグメント導体の突出部とロータ対向部との間隙を好適に確保することができる。
【００１３】
上記モータにおいて、前記電機子巻線は、前記各セグメント導体が少なくとも軸方向一方側の前記突出部で溶接接合されてなり、その突出部の溶接接合部は、前記ロータ対向部の軸方向先端よりも軸方向外側に形成されていることが好ましい。
【００１４】
この構成によれば、セグメント導体の突出部の溶接接合部がロータ対向部の軸方向先端よりも軸方向外側（反メインコア部側）に形成されるため、突出部の溶接作業においてロータ対向部が邪魔になりにくく、突出部を容易に溶接接合することができる。
【００１５】
上記モータにおいて、前記磁性板は、前記メインコア部の軸方向端部に積層された積層部を備えていることが好ましい。
この構成によれば、例えば、磁性板の積層部を複数のコアシートと同様に積層固定することが可能となるため、製造工程の簡素化を図ることができる。
【００１６】
上記モータにおいて、前記スロットの軸方向端を構成する前記積層部の角部には、面取り部が形成されていることが好ましい。
この構成によれば、スロットの軸方向端から突出するセグメント導体を屈曲させる場合に、セグメント導体が磁性板の積層部の角部で損傷することを抑制することができる。
【００１７】
上記モータにおいて、前記メインコア部は、軸方向に積層された複数のコアシートよりなり、前記磁性板の板厚は、前記コアシートの板厚よりも厚く設定されていることが好ましい。
【００１８】
この構成によれば、磁性板を介して磁気を取り込みやすくすることができるため、より一層の高出力化に寄与できる。また、スロットの軸方向端を構成する磁性板の積層部の角部に面取り部を形成する場合には、磁性板の板厚がコアシートの板厚よりも厚いことにより、磁性板の積層部に面取り部を形成しやすく、より好適である。
【００１９】
上記モータにおいて、前記ロータの界磁磁石は、フェライト磁石よりなることが好ましい。
この構成によれば、ロータの界磁磁石は、比較的安価なフェライト磁石よりなるため、モータの低コスト化に寄与できる。
【発明の効果】
【００２０】
本発明のモータによれば、出力を確保しつつも、セグメント導体を用いたステータの軸方向への大型化を抑えることができる。
【図面の簡単な説明】
【００２１】
【図１】実施形態のモータの模式断面図である。
【図２】同形態のステータの平面図である。
【図３】同形態の磁性板のロータ対向部を説明するための正面図である。
【図４】同形態のステータコアの分解斜視図である。
【図５】同形態のステータコアを模式断面図である。
【図６】同形態のステータを部分的に拡大して示す平面図である。
【図７】同形態のセグメント導体の屈曲部位を示す模式断面図である。
【図８】同形態のモータを部分的に拡大して示す模式断面図である。
【図９】別例のモータを部分的に拡大して示す模式断面図である。
【図１０】別例のモータを部分的に拡大して示す模式断面図である。
【発明を実施するための形態】
【００２２】
以下、モータの一実施形態について説明する。
図１に示すように、本実施形態のモータ１０は、リヤフレーム１１とフロントフレーム１２によってモータ１０の軸方向に挟持された環状のステータ１３の内側にロータ１４が配置されて構成されている。なお、モータ１０の軸方向出力側（後述するジョイント６３側）を保持するフレームをフロントフレーム１２とし、軸方向反出力側を保持するフレームをリヤフレーム１１としている。各フレーム１１，１２は、互いに離間しないようにステータ１３の外周側の位置でスルーボルト１５にて締結固定されている。
【００２３】
［フレーム］
リヤフレーム１１及びフロントフレーム１２は、アルミニウムや鋼鉄等の金属材料にて形成されている。リヤフレーム１１は、略円盤状の本体部１１ａと、本体部１１ａの外周縁からモータ１０の軸方向に延出された円筒状のステータ保持部１１ｂとを備えている。一方のフロントフレーム１２も略同様の構成であり、略円盤状の本体部１２ａと、本体部１２ａの外周縁からモータ１０の軸方向に延出された円環状のステータ保持部１２ｂとを備えている。各フレーム１１，１２の本体部１１ａ，１２ａの径方向中央には、同軸上に配置された軸受１６，１７が保持され、その軸受１６，１７には、ロータ１４の回転軸１８が軸支されている。
【００２４】
各フレーム１１，１２の本体部１１ａ，１２ａには、その外周縁の複数箇所（例えば２箇所）から径方向外側に延びる締結固定部１１ｃ，１２ｃが形成されている。なお、図１では、周方向に複数設けられた締結固定部１１ｃ，１２ｃをそれぞれ１つのみ図示している。リヤフレーム１１側の締結固定部１１ｃとフロントフレーム１２側の締結固定部１２ｃは互いに同数設けられるとともに、回転軸１８の軸方向に互いに対向している。そして、それぞれ対をなす締結固定部１１ｃ，１２ｃがスルーボルト１５によって締結固定されることで、各フレーム１１，１２がステータ１３を挟持する状態で互いに固定されるようになっている。
【００２５】
［ステータ］
ステータ１３は、各フレーム１１，１２のステータ保持部１１ｂ，１２ｂに挟持された円環状のステータコア２１と、そのステータコア２１に装着された電機子巻線２２とを備える。
【００２６】
図２及び図６に示すように、ステータコア２１は、その外周を構成する円筒部２３と、その円筒部２３から径方向内側に延出された複数（本実施形態では６０個）のティース２４とからなる。各ティース２４には、径方向内側に向かうにつれて周方向幅が狭くなるテーパ状をなす径方向延出部２４ａが形成され、その各径方向延出部２４ａの先端部（径方向内側端部）には、該径方向延出部２４ａよりも周方向幅が広い幅広部２４ｂが形成されている。径方向延出部２４ａの周方向両端面は、回転軸１８の軸線と平行な平面状をなすとともに、周方向に隣り合う周方向端面同士が平行をなしている。
【００２７】
各ティース２４の間の空間は、電機子巻線２２を構成するセグメント導体２５を収容する部位であるスロットＳとして構成される。つまり、スロットＳは、ティース２４の周方向側面とティース２４間における円筒部２３の内周面とから構成されている。本実施形態では、ティース２４は、周方向に隣り合う径方向延出部２４ａの周方向端面同士が平行となるように形成されるため、各スロットＳが軸方向視で略矩形状をなすように構成されている。また、各スロットＳは、ステータコア２１を軸方向に沿って貫通するとともに、径方向内側に開口する形状をなしている。なお、ステータコア２１に形成されたスロットＳの個数は、ティース２４と同数（本実施形態では６０個）である。
【００２８】
［ステータコア］
上記のような形状を有するステータコア２１は、複数の鋼板を積層して一体化することによって成形されている。
【００２９】
詳述すると、図４に示すように、ステータコア２１は、鋼板をプレス加工により打ち抜いて形成した複数枚のコアシート３０を軸方向に積層してかしめて一体化することにより形成されたメインコア部３１と、メインコア部３１の軸方向両端部にそれぞれ固定された磁性板４０（補助コア部）とから構成されている。なお、本実施形態では、磁性板４０は、同形状のものがメインコア部３１の軸方向両側に１枚ずつ設けられている。
【００３０】
メインコア部３１の各コアシート３０は同一形状をなし、板面が軸方向と直交するように配置されている。この各コアシート３０は、円環状をなす環状部３２と、その環状部３２から径方向内側に延びる複数のティース構成部３３を有している。また、各コアシート３０は、ティース構成部３３が軸方向沿って重なるように積層されている。
【００３１】
図２、図４及び図６に示すように、磁性板４０は、プレス加工により成形されるものであり、メインコア部３１の軸方向両端のコアシート３０に積層された板状の積層部４１を有している。積層部４１は、メインコア部３１のコアシート３０に対して平行且つ同軸となるように積層されている。また、磁性板４０は、その板厚Ｔ１がメインコア部３１のコアシート３０の板厚Ｔ２よりも厚く設定されている（図１参照）。
【００３２】
積層部４１には、コアシート３０の環状部３２と軸方向に重なる円環状をなす環状部４２と、その環状部４２から径方向内側に延びる複数のティース構成部４３とが形成されている。積層部４１のティース構成部４３は、軸方向視においてコアシート３０のティース構成部３３と同形状をなしている。磁性板４０は、積層部４１の環状部４２及びティース構成部４３が、コアシート３０の環状部３２及びティース構成部３３とそれぞれ軸方向に重なるように設けられている。このコアシート３０と磁性板４０の各環状部３２，４２がステータコア２１の円筒部２３を構成し、各ティース構成部３３，４３がステータコア２１のティース２４を構成している。また、積層部４１の環状部４２の外径は、コアシート３０の環状部３２の外径よりも小さく形成されている（図２参照）。これにより、軸方向視においてコアシート３０の環状部３２の外周縁全体が露出するように構成されている。
【００３３】
磁性板４０のティース構成部４３の径方向内側端部（ロータ１４側端部）には、軸方向外側（反メインコア部側）に延出されたロータ対向部４４が形成されている。ロータ対向部４４は、ティース構成部４３の径方向内側端部を軸方向外側に直角に屈曲することで形成されている。つまり、磁性板４０は、軸方向外側に屈曲形成されたロータ対向部４４で板面が径方向を向くように形成されている。なお、ロータ対向部４４の内径面は、メインコア部３１（コアシート３０）の内径と同径となるように曲面形成されている。また、積層部４１の軸方向厚みとロータ対向部４４の径方向厚みは、磁性板４０の板厚Ｔ１によって決まり、それらは互いに等しい厚みとなっている。また、ロータ対向部４４とティース構成部４３との間の折曲部位（ティース構成部４３とロータ対向部４４のなす角部）の肉厚は、ロータ対向部４４の板厚（つまり、磁性板４０の板厚Ｔ１）よりも厚くなるように形成されている。
【００３４】
図３に示すように、ロータ対向部４４は、周方向両側に周方向側部としての側縁部４４ａを有する。この側縁部４４ａは、回転軸１８の軸線方向に対して周方向に傾斜する形状とされる。側縁部４４ａは、先端側（反メインコア部側）ほどロータ対向部４４の周方向中央側に近づくように傾斜されている。また、各側縁部４４ａは、ロータ対向部４４を径方向から見たときに、ロータ対向部４４の周方向の中心線に対して左右対称となるように形成されている。このため、ロータ対向部４４は、軸方向基端側（軸方向内側）の周方向幅がティース構成部４３の先端部（幅広部２４ｂ）の周方向幅と等しく形成されるとともに、軸方向先端側（軸方向外側）ほど周方向幅が狭く、径方向視で台形形状をなすように形成される。なお、本実施形態の各ロータ対向部４４は全て同形状をなすように形成される。
【００３５】
図５に示すように、コアシート３０と磁性板の積層部４１の各環状部３２，４２には、板厚方向に突出する凸部４５（ダボ）がプレス加工にて形成されている。各環状部３２，４２において、凸部４５は周方向に複数（本実施形態では４つ）形成されている。また、各環状部３２，４２は、各凸部４５の裏側において凸部４５の成形時に形成された凹部４６を有している。そして、各凸部４５は、軸方向に隣り合うコアシート３０の凹部４６に圧入固定（かしめ固定）されている。これにより、各コアシート３０が一体化されてメインコア部３１を構成するとともに、そのメインコア部３１の軸方向両側に磁性板４０が固定される。
【００３６】
図６に示すように、ステータコア２１の各スロットＳ内には、絶縁性の樹脂材料から形成されたシート状の絶縁部材４７が装着されている。各絶縁部材４７は、スロットＳの径方向外側端部で折り返された状態で設けられ、スロットＳの内周面に沿うように形成されている。また、各絶縁部材４７はスロットＳに軸方向に挿入されるものであり、絶縁部材４７の軸方向長さは、スロットＳの軸方向長さよりも長く設定されている。つまり、絶縁部材４７の軸方向両端部は、スロットＳの軸方向両端部から外部に突出している（図７参照）。
【００３７】
［電機子巻線］
図６及び図８に示すように、上記したステータコア２１に装着された電機子巻線２２は、複数のセグメント導体２５（セグメントコンダクタ）にて構成されている。各セグメント導体２５は、所定のもの同士で接続されて、３相（Ｕ相、Ｖ相、Ｗ相）Ｙ結線の電機子巻線２２を構成している。また、各セグメント導体２５は、同一断面形状（断面矩形状）の線材から形成されるものである。
【００３８】
各セグメント導体２５は、スロットＳ内に挿通される部位である一対の直線部５１と、スロットＳから軸方向一方側（リヤフレーム１１側）に突出する第１突出部５２と、スロットＳから軸方向他方側（フロントフレーム１２側）に突出する第２突出部５３とを有し、第１突出部５２側で折り返される略Ｕ字状をなしている。第１及び第２突出部５２，５３は、軸方向両側のロータ対向部４４と径方向に間隙Ｄ１，Ｄ２を介してそれぞれ対向している。
【００３９】
一対の直線部５１は、径方向位置が互いにずれるように形成されるとともに、周方向位置の異なるスロットＳにそれぞれ挿入される。また、直線部５１はスロットＳ内において絶縁部材４７の内側に配置されている（図６参照）。この絶縁部材４７によってセグメント導体２５とステータコア２１とが電気的に絶縁されている。
【００４０】
セグメント導体２５は、各スロットＳ内において直線部５１が径方向に４つ並ぶように配置されている。そして、セグメント導体２５には、２つの直線部５１が径方向内側から１つ目と４つ目に配置されるもの（図８において外側に図示されたセグメント導体２５ｘ）と、２つの直線部５１が径方向内側から２つ目と３つ目に配置されるもの（図８において内側に図示されたセグメント導体２５ｙ）の２種類が用いられている。なお、主にこの２種類のセグメント導体２５ｘ，２５ｙから電機子巻線２２が構成されるが、例えば電機子巻線２２の端部（電源接続端子や中性点接続端子等）を構成するセグメント導体には、別種類のもの（例えば、直線部が１つだけのセグメント導体）が用いられる。
【００４１】
各直線部５１は、スロットＳを軸方向に貫通してフロントフレーム１２側に突出した第２突出部５３が、周方向に屈曲されて他のセグメント導体２５の第２突出部５３や、特殊な種類のセグメント導体と溶接等により電気的に接続され、これにより、各セグメント導体２５によって電機子巻線２２が構成される。なお、図８には、周方向位置の異なるスロットＳに挿入されたセグメント導体２５の第２突出部５３同士を溶接接合した部位を、溶接接合部５４として模式的に示している。
【００４２】
また、セグメント導体２５の第１及び第２突出部５２，５３は、スロットＳの軸方向両端で直線部５１に対して周方向に屈曲されている。ここで、第１突出部５２が周方向に屈曲されたスロットＳの軸方向端部付近の拡大図を図７に示す。同図に示すように、スロットＳの軸方向一端を構成する磁性板４０（積層部４１）のティース構成部４３の角部には、円弧状に面取りされた面取り部４３ａが形成されている。また、第２突出部５３側の磁性板４０にも同様に、スロットＳの軸方向他端を構成するティース構成部４３の角部に面取り部４３ａが形成されている。面取り部４３ａは、第１及び第２突出部５２，５３の周方向への屈曲形状に沿う円弧状をなし、その屈曲部位に対して広い面積で接触するようになっている。これにより、第１及び第２突出部５２，５３の周方向の屈曲部位に対して、ティース構成部４３の角部から局所的に力が加わることが抑制され、その屈曲部位の損傷が抑制されるようになっている。また同様に、第１及び第２突出部５２，５３の屈曲部位と面取り部４３ａとに挟まれた絶縁部材４７の損傷も抑制されている。また、本実施形態では、磁性板４０の板厚Ｔ１（ティース構成部４３の板厚）がコアシート３０の板厚Ｔ２よりも厚いため、面取り部４３ａの曲率半径Ｒｍをコアシート３０の板厚Ｔ２よりも大きく設定可能となっている。これにより、曲率半径Ｒｍが大きい面取り部４３ａによってセグメント導体２５の屈曲部位の損傷がより好適に抑制されるようになっている。
【００４３】
また、図８に示すように、セグメント導体２５の折り返し部２５ａが形成された第１突出部５２は、径方向外側に傾く（膨らむ）ように形成されている。これにより、折り返し部２５ａがスロットＳの径方向中央よりも径方向外側に偏倚するとともに、第１突出部５２の径方向内側端部５２ａがスロットＳの径方向内側端部Ｓａよりも径方向外側に位置するように構成される。これにより、第１突出部５２と磁性板４０のロータ対向部４４との径方向間の間隙Ｄ１が広く構成されるため、第１突出部５２とロータ対向部４４との干渉がより好適に抑制されている。その結果、セグメント導体２５とロータ対向部４４との絶縁性がより好適に確保されるだけでなく、第１突出部５２との干渉によってロータ対向部４４が変形することによるコギングトルクの増大や出力の低下が抑制されている。
【００４４】
一方、セグメント導体２５の第２突出部５３には、折り返し部が形成されず、その第２突出部５３同士が溶接接合される構成のため、第２突出部５３とロータ対向部４４との間隙Ｄ２を容易に確保できるようになっている。また、第２突出部５３の溶接接合部５４は、フロントフレーム１２側のロータ対向部４４の軸方向先端部４４ｂよりも軸方向外側（反メインコア部側）に形成されている。これにより、第２突出部５３の溶接作業においてロータ対向部４４が邪魔になりにくく、第２突出部５３を容易に溶接接合することができ、作業性が向上されるようになっている。
【００４５】
［ステータコアの保持構成］
図１に示すように、上記構成のステータ１３を保持する各フレーム１１，１２のステータ保持部１１ｂ，１２ｂは、各フレーム１１，１２の本体部１１ａ，１２ａから軸方向に延出する円筒状をなしている。ステータ保持部１１ｂ，１２ｂの外径は、ステータ保持部１１ｂ，１２ｂのメインコア部３１の外径よりも大きく形成されている。また、ステータ保持部１１ｂ，１２ｂの内径は、メインコア部３１の外径よりも小さく、且つ、磁性板４０（積層部４１）の外径よりも大きく形成されている。
【００４６】
図８に示すように、ステータ保持部１１ｂ，１２ｂの先端部（軸方向内側端部）には、外嵌部１１ｄ，１２ｄがそれぞれ形成されている。各外嵌部１１ｄ，１２ｄは、ステータ保持部１１ｂ，１２ｂの内径を大きくすることにより径方向の厚さが薄く形成された部分であり、円環状をなしている。外嵌部１１ｄ，１２ｄの内径は、メインコア部３１の外径と略等しく形成されており、外嵌部１１ｄ，１２ｄの径方向内側には、軸方向と直交する平面状をなす当接面１１ｅ，１２ｅがそれぞれ形成されている。
【００４７】
ステータコア２１において、磁性板４０の積層部４１の外周側でメインコア部３１の外周縁が軸方向両側に露出された部位（露出面３１ａ）が各フレーム１１，１２のステータ保持部１１ｂ，１２ｂに挟持されている。詳しくは、ステータ保持部１１ｂ，１２ｂは、外嵌部１１ｄ，１２ｄがメインコア部３１の軸方向両端の外周縁にそれぞれ外嵌されるとともに、当接面１１ｅ，１２ｅがメインコア部３１の軸方向両側の露出面３１ａにそれぞれ軸方向に当接している。この状態で、各フレーム１１，１２が前記スルーボルト１５によって互いに連結固定されることで、メインコア部３１がステータ保持部１１ｂ，１２ｂによって軸方向に挟持される。また、ステータ保持部１１ｂ，１２ｂの先端部の間からは、ステータコア２１のメインコア部３１の外周面が外部に露出されている。
【００４８】
［ロータ］
図１に示すように、ロータ１４は、軸受１６，１７に軸支された回転軸１８と、回転軸１８に一体回転可能に固定された円筒状のロータコア６１と、ロータコア６１の外周面に固着された複数（本実施形態では１０個）の界磁磁石６２とから構成されている。各界磁磁石６２は、フェライト磁石よりなり、磁極（Ｎ極とＳ極）が周方向で交互に異なるように配置されている。ロータコア６１及びロータ１４の界磁磁石６２の軸方向長さは、ステータコア２１の内周端部の軸方向長さ（即ち、一方の磁性板４０のロータ対向部４４の先端から他方の磁性板４０のロータ対向部４４の先端までの長さ）と略等しく設定されている。即ち、界磁磁石６２は、ステータコア２１のメインコア部３１の内周面と各磁性板４０のロータ対向部４４に対して径方向に対向している。
【００４９】
回転軸１８の先端部（図１において左側の端部）は、フロントフレーム１２を貫通してモータ１０の外部に突出している。そして、この回転軸１８の先端部には、該回転軸１８と一体回転するジョイント６３が設けられている。このジョイント６３は図示しない外部装置に連結され、その外部装置に回転軸１８の回転を伝達する。
【００５０】
次に、本実施形態の作用について説明する。
ステータ１３の電機子巻線２２への通電により発生した磁界とロータ１４の界磁磁石６２の磁界とが、メインコア部３１の内周面と各磁性板４０のロータ対向部４４を介して作用し合い、ロータ１４が回転する。なお、本実施形態では、磁性板４０の板厚Ｔ１がコアシート３０の板厚Ｔ２よりも厚く設定されているため、磁性板４０での磁気飽和が生じにくく、磁性板４０を介して磁気を取り込みやすくなっている。
【００５１】
ここで、各磁性板４０のロータ対向部４４は、ステータコア２１のティース２４のロータ１４側端部（径方向内側端部）から軸方向に延びるように形成されている。これにより、ステータコア２１のロータ１４との対向面（ステータコア２１の内周面）の軸方向長さを確保して高出力化を図ることが可能となっている。そして、各ロータ対向部４４の外周側の空間には、スロットＳから軸方向両側に突出するセグメント導体２５の第１及び第２突出部５２，５３を配置されており、その第１及び第２突出部５２，５３が軸方向両側のロータ対向部４４と径方向にそれぞれ対向するように構成されている。このため、磁性板４０のロータ対向部４４によって出力を確保しつつも、ステータ１３の軸方向長さ（本実施形態では、第１突出部５２の軸端から第２突出部５３までの長さ）を抑えることが可能となっている。
【００５２】
また、ロータ対向部４４によって出力を確保しつつも、ステータコア２１のメインコア部３１の積厚が抑えられるため、メインコア部３１の積厚の変動（公差）が少なく抑えられる。これにより、メインコア部３１を挟む各フレーム１１，１２の軸方向の間隔の変動が抑えられ、ひいては、モータ１０全体の軸方向寸法の変動が抑えられるようになっている。なお、磁性板４０は、その板厚Ｔ１が厚いほどその変動（公差）が大きくなるが、本実施形態のように、各フレーム１１，１２がメインコア部３１のみを挟持して磁性板４０とは軸方向に当接しないように構成することで、モータ１０全体の軸方向寸法の変動がより抑えられるようになっている。
【００５３】
また、セグメント導体２５は、溶接接合された第２突出部５３だけでなく、湾曲成形された折り返し部２５ａを有する第１突出部５２も、スロットＳの径方向内側端部Ｓａよりも径方向外側（反ロータ対向部側）に位置するように構成されている。このため、スロットＳをロータ対向部４４から径方向外側に離した構成としなくても、セグメント導体２５の第１及び第２突出部５２，５３とロータ対向部４４との間隙Ｄ１，Ｄ２を確保することができるようになっている。これにより、ステータコア２１の径方向への大型化を抑えつつも、セグメント導体２５の第１及び第２突出部５２，５３とロータ対向部４４との干渉を抑えることが可能となっている。
【００５４】
また、電機子巻線２２にセグメント導体２５を用いた構成では、セグメント導体２５を収容するスロットＳの数（ティース２４の数）が多く、ティース２４の周方向幅が狭くなる傾向がある。このため、ティース２４におけるロータ１４との対向面（径方向内側端面）の面積を広くして出力を向上させるためには、本実施形態のように、ロータ対向部４４によってティース２４の径方向内側端面を軸方向に延ばす構成が適している。また、本実施形態のティース２４は、内周側ほど周方向幅が狭くなる径方向延出部２４ａと幅広部２４ｂの境界部分で磁気集中しやすい構成であるが、その境界部位に磁性板４０の積層部４１が重なっているため、磁気集中が緩和されるようになっている。
【００５５】
次に、本実施形態の特徴的な効果を記載する。
（１）メインコア部３１の軸方向両端部にそれぞれ設けられた磁性板４０は、メインコア部３１の径方向内側端部（ロータ１４側端部）から軸方向外側に延出されてロータ１４と径方向に対向するロータ対向部４４を有する。そして、セグメント導体２５の第１及び第２突出部５２，５３は、ロータ対向部４４と径方向に間隙Ｄ１，Ｄ２を介してそれぞれ対向する。これにより、メインコア部３１の軸方向長さを小さく抑えることで、ステータ１３の軸方向への大型化を抑えつつも、磁性板４０のロータ対向部４４によってステータコア２１のロータ１４との対向面を確保、つまり出力を確保することができる。
【００５６】
また、セグメント導体２５の第１及び第２突出部５２，５３とロータ対向部４４との間には径方向の間隙Ｄ１，Ｄ２がそれぞれ形成されるため、第１及び第２突出部５２，５３とロータ対向部４４との干渉が抑制され、その結果、ロータ対向部４４とセグメント導体２５との絶縁性を好適に確保することができる。また、例えば、第１及び第２突出部５２，５３との干渉によってロータ対向部４４が変形することによるコギングトルクの増大や出力の低下を抑制することができる。
【００５７】
また、ロータ対向部４４によって出力を確保しつつも、ステータコア２１の積厚を抑えることも可能となるため、積厚を抑えることでステータコア２１の傾きを抑えることができる。これにより、各フレーム１１，１２同士の傾きが抑えられるため、各軸受１６，１７の同軸性の悪化が抑えられ、その結果、ロータ１４の軸ずれによって生じる騒音や振動を抑制することが可能となる。
【００５８】
（２）セグメント導体２５の第１及び第２突出部５２，５３は、スロットＳの径方向内側端部Ｓａ（ロータ対向部４４側の端部）よりも径方向外側（反ロータ対向部側）に位置するように構成される。このため、スロットＳをロータ対向部４４から径方向外側に離した構成としなくても、セグメント導体２５の第１及び第２突出部５２，５３とロータ対向部４４との間隙を確保することができる。このため、ステータコア２１の径方向への大型化を抑えつつも、セグメント導体２５の第１及び第２突出部５２，５３とロータ対向部４４との干渉を抑えることができる。
【００５９】
（３）セグメント導体２５は、周方向位置の異なるスロットＳにそれぞれ挿入される一対の直線部５１と、第１突出部５２において一対の直線部５１同士を繋ぐ折り返し部２５ａとが一体に形成された線材よりなる。そして、その折り返し部２５ａは、スロットＳの径方向中心に対して反ロータ対向部側に偏倚するように形成される。このため、略Ｕ字状に折り返した形状のセグメント導体２５において、折り返し部２５ａを有する第１突出部５２とロータ対向部４４との間隙Ｄ１を好適に確保することができる。
【００６０】
（４）電機子巻線２２は、各セグメント導体２５がフロントフレーム１２側の第２突出部５３で溶接接合されてなり、その第２突出部５３の溶接接合部５４は、ロータ対向部４４の軸方向先端部４４ｂよりも軸方向外側（反メインコア部側）に形成される。このため、第２突出部５３の溶接作業においてロータ対向部４４が邪魔になりにくく、第２突出部５３を容易に溶接接合することができる。
【００６１】
（５）磁性板４０は、メインコア部３１の軸方向端部に積層された積層部４１を備えるため、積層部４１をメインコア部３１の各コアシート３０と同様に固定（本実施形態ではかしめ固定）することが可能となり、製造工程の簡素化を図ることができる。
【００６２】
（６）スロットＳの軸方向両端を構成する各磁性板４０のティース構成部４３の角部には、面取り部４３ａが形成される。このため、セグメント導体２５の第１及び第２突出部５２，５３の周方向の屈曲部位に対して、ティース構成部４３の角部から局所的に力が加わることが抑制され、その屈曲部位の損傷を抑制することができる。
【００６３】
（７）磁性板４０の板厚Ｔ１は、コアシート３０の板厚Ｔ２よりも厚く設定されるため、磁性板４０を介して磁気を取り込みやすくすることができ、その結果、より一層の高出力化に寄与できる。また、磁性板４０の板厚Ｔ１がコアシート３０の板厚Ｔ２よりも厚いため、磁性板４０のティース構成部４３の角部に大きな面取り部４３ａ（例えば、コアシート３０の板厚Ｔ２よりも大きな曲率半径Ｒｍを有する断面弧状の面取り部）を形成しやすく、その結果、セグメント導体２５の屈曲部位の損傷を好適に抑制することが可能となる。
【００６４】
（８）ロータ１４の界磁磁石６２が比較的安価なフェライト磁石よりなるため、モータ１０の低コスト化に寄与できる。
（９）電機子巻線２２がセグメント導体２５にて構成されるため、電機子巻線２２の占積率を向上させることが可能となる。また、電機子巻線２２をセグメント導体２５で構成すると、セグメント導体２５がスロットＳ内において径方向に並ぶことから特に径方向に発熱しやすくもなるが、ステータコア２１（メインコア部３１）の外周面が各フレーム１１，１２のステータ保持部１１ｂ，１２ｂの間から外部に露出されるため、ステータ１３で生じた熱を外部に逃がしやすく好適である。
【００６５】
（１０）各フレーム１１，１２のステータ保持部１１ｂ，１２ｂは、メインコア部３１の外周縁（露出面３１ａ）を軸方向に直接的に挟むように構成され、磁性板４０に対しては軸方向に当接しないように構成される。このため、メインコア部３１を挟む各フレーム１１，１２の軸方向の間隔の変動（公差）を抑えることができ、その結果、モータ１０全体の軸方向寸法の変動を抑えることが可能となる。また、本実施形態のように、磁性板４０の板厚Ｔ１をコアシート３０の板厚Ｔ２よりも厚くして出力向上を図る場合には、磁性板４０の板厚変動が大きくなる。このため、各フレーム１１，１２が磁性板４０とは軸方向に当接しないように構成することで、モータ１０全体の軸方向寸法の変動を抑える効果がより顕著となる。
【００６６】
（１１）磁性板４０の積層部４１は、メインコア部３１における軸方向端部のコアシート３０にかしめ固定されるため、凸部４５（ダボ）及び凹部４６からなる簡素な構成で磁性板４０の積層部４１とコアシート３０とを固定することができる。
【００６７】
なお、上記実施形態は、以下のように変更してもよい。
・上記実施形態では、各フレーム１１，１２のステータ保持部１１ｂ，１２ｂは、メインコア部３１の外周縁（露出面３１ａ）を軸方向に直接的に挟み、磁性板４０に対しては軸方向に当接しないように構成されたが、これに特に限定されるものではなく、例えば図９に示すように、磁性板４０の環状部４２（積層部４１）を介してメインコア部３１を軸方向に挟むように構成してもよい。この図９に示すような構成によれば、磁性板４０の積層部４１をステータ保持部１１ｂ，１２ｂに対して軸方向に干渉しないように径方向に小さくする必要がないため、出力の低下を抑えることができる。また、磁性板４０の板厚Ｔ１をコアシート３０の板厚Ｔ２よりも厚くして出力向上を図る場合には、磁性板４０よりも板厚が薄いコアシート３０の枚数を調整することで、モータ１０全体の軸方向寸法の変動を抑えることが可能である。
【００６８】
・上記実施形態では、各セグメント導体２５は、スロットＳに挿通された一対の直線部５１を繋ぐ第１突出部５２側で折り返されるように形成し、第２突出部５３側で溶接等により接合するように構成されたが、これに特に限定されるものではない。例えば図１０に示すように、一対の直線部５１をそれぞれ別体とし、各セグメント導体２５が軸方向両側の第１及び第２突出部５２，５３でそれぞれ溶接接合されるように構成してもよい。なお、図１０には、周方向位置の異なるスロットＳに挿入されたセグメント導体２５の各突出部５２，５３同士を溶接接合した部位を溶接接合部５４として模式的に示している。この構成によれば、セグメント導体を略Ｕ字状に折り返した形状とする場合に、その折り返し部に生じうる径方向内側への膨らみが生じないため、各突出部５２，５３とロータ対向部４４との間隙Ｄ１，Ｄ２を好適に確保することができる。なお、各溶接接合部５４は、ロータ対向部４４の軸方向先端部４４ｂよりも軸方向外側（反メインコア部側）に形成されることが好ましく、これによれば、各突出部５２，５３の溶接作業においてロータ対向部４４が邪魔になりにくく、各突出部５２，５３を容易に溶接接合することができる。また、セグメント導体２５同士の接続は、溶接以外に例えば、バスバー等の別部材を用いた接続構造としてもよい。
【００６９】
・上記実施形態では、第２突出部５３の溶接接合部５４を、フロントフレーム１２側のロータ対向部４４の軸方向先端部４４ｂよりも軸方向外側（反メインコア部側）に形成したが、これに限らず、第２突出部５３の溶接部位をロータ対向部４４の軸方向先端部４４ｂよりも軸方向内側（メインコア部３１側）に形成してもよい。この構成によれば、第２突出部５３がロータ対向部４４よりも軸方向外側に突出しないように構成できるため、ステータ１３の軸方向の小型化に寄与できる。
【００７０】
・上記実施形態では、磁性板４０の積層部４１の外径をコアシート３０の外径よりも小さくすることで、メインコア部３１の軸方向端面の外周縁全体に亘って露出面３１ａを形成し、その露出面３１ａを各フレーム１１，１２のステータ保持部１１ｂ，１２ｂで挟むように構成したが、これに特に限定されるものではない。例えば、メインコア部３１（コアシート３０）の外周面から径方向外側に突出する突出部を形成し、その突出部をステータ保持部１１ｂ，１２ｂで挟むように構成してもよい。
【００７１】
・上記実施形態では、ロータ対向部４４を径方向視で台形形状に形成したが、これ以外に例えば、径方向視で矩形状に形成してもよく、磁気の取り込みが可能な形状であればよい。
【００７２】
・上記実施形態では、磁性板４０の積層部４１は、環状部４２とティース構成部４３とを有するが、これ以外に例えば、積層部４１をティース構成部４３のみで構成してもよい。
【００７３】
・上記実施形態では、磁性板４０はメインコア部３１（コアシート３０）にかしめ固定されたが、これ以外に例えば、接着や溶接によって固定してもよい。
・上記実施形態では、磁性板４０の板厚Ｔ１をコアシート３０の板厚Ｔ２よりも厚く設定したが、これに特に限定されるものではなく、磁性板４０の板厚Ｔ１をコアシート３０の板厚Ｔ２に対して等しく、又は薄く設定してもよい。
【００７４】
・上記実施形態では、磁性板４０をメインコア部３１の軸方向両側にそれぞれ設けたが、これに特に限定されるものではなく、磁性板４０をメインコア部３１の軸方向一方側のみに設けてもよい。
【００７５】
・上記実施形態では、ステータコア２１のメインコア部３１を複数のコアシート３０よりなる積層構造としたが、これ以外に例えば、メインコア部３１を鋳造等により成形される一体成形品としてもよい。
【００７６】
・上記実施形態では、セグメント導体２５にて構成される電機子巻線２２を用いたが、これ以外に例えば、銅線等をティースに巻回してなる電機子巻線を用いてもよい。
・上記実施形態では、ロータ１４の界磁磁石６２にフェライト磁石を用いたが、これ以外に例えば、ネオジム磁石等を用いてもよい。
【００７７】
・上記実施形態では、界磁磁石６２をロータコア６１の外周面に設けたが、これ以外に例えば、ロータコア６１の内部に埋設してもよい。
・上記実施形態において、ロータコア６１及びロータ１４の界磁磁石６２の軸方向長さを、ステータコア２１の内周端部の軸方向長さ（即ち、一方の磁性板４０のロータ対向部４４の先端から他方の磁性板４０のロータ対向部４４の先端までの長さ）に対して異なるように設定してもよい。
【００７８】
・上記実施形態では、ステータコア２１を一対のフレーム１１，１２で挟持する構成としたが、これ以外に例えば、ステータコア２１を円筒状の金属製のハウジングに圧入や焼嵌め等により固定する構成としてもよい。
【００７９】
・上記実施形態では、ロータ１４をステータ１３の内周側に配置したインナロータ型のモータ１０に具体化したが、これに特に限定されるものではなく、ロータをステータの外周側に配置したアウタロータ型のモータに具体化してもよい。
【符号の説明】
【００８０】
１０…モータ、１１…リヤフレーム、１２…フロントフレーム、１３…ステータ、１４…ロータ、１８…回転軸、２１…ステータコア、２２…電機子巻線、２５，２５ｘ，２５ｙ…セグメント導体、２５ａ…折り返し部、３０…コアシート、３１…メインコア部、４０…磁性板、４１…積層部、４３ａ…面取り部、４４…ロータ対向部、５１…直線部、５２，５３…第１及び第２突出部（突出部）、５４…溶接接合部、６２…界磁磁石、Ｓ…スロット、Ｄ１，Ｄ２…間隙。
【図１】
2014147174.tif 000003
【図２】
2014147174.tif 000004
【図３】
2014147174.tif 000005
【図４】
2014147174.tif 000006
【図５】
2014147174.tif 000007
【図６】
2014147174.tif 000008
【図７】
2014147174.tif 000009
【図８】
2014147174.tif 000010
【図９】
2014147174.tif 000011
【図１０】
2014147174.tif 000012